(57)【要約】      （修正有）【課題】複数の端子収容室を備えるコネクタに電線が接続された端子を装着する作業性を向上するコネクタ把持用治具を提供する。【解決手段】複数の端子収容室を少なくとも一列備えてなるコネクタ４を把持して、電線９が接続された端子８を設定された端子収容室に装着する作業に使用される治具本体１であって、コネクタ４が収容される空洞２を有し、コネクタ４の端子収容室の開口が表面に露出するように空洞２が形成されてなる治具本体１と、治具本体１の表面に、複数の端子収容室の配列に合せて各端子収容室に挿入されるべき電線９の色分けと同じ配列の色分け表示部３が形成し、コネクタ４を端子８が挿入しやすい姿勢に調整し、コネクタ４と端子８の姿勢を調整しながら端子コネクタに装着して、作業性を向上する。【選択図】図４
2010040405.tif 000002
【特許請求の範囲】
【請求項１】
複数の端子収容室を少なくとも一列備えてなるコネクタを把持して、電線が接続された端子を設定された前記端子収容室に装着する作業に使用されるコネクタ把持用治具であって、
前記コネクタが収容される空洞を有し、前記コネクタの前記端子収容室の開口が表面に露出するように前記空洞が形成されてなる前記治具本体と、
前記治具本体の表面に、前記複数の端子収容室の配列に合せて前記各端子収容室に挿入されるべき電線の色分けと同じ配列の色分け表示部が形成されてなるコネクタ把持用治具。
【請求項２】
請求項１に記載のコネクタ把持用治具において、前記複数の端子収容室を複数列備えてなるコネクタを前記治具本体に収容し、前記表示部は複数列の前記端子収容室の配列順に合わせて複数形成されることを特徴とするコネクタ把持用治具。
【請求項３】
請求項１に記載のコネクタ把持用治具において、前記コネクタは前記端子を係止する係止部材を備え、該係止部材は前記端子の挿入により前記コネクタの外方向に変形し、前記空洞は前記係止部材に干渉しないように大きく形成されてなることを特徴とするコネクタ把持用治具。
【発明の詳細な説明】
【技術分野】
【０００１】
本発明は、コネクタ把持用治具に係り、特に、小型のコネクタを手で把持して電線が接続された端子を装着する作業に使用されるコネクタ把持用治具に関する。
【背景技術】
【０００２】
複数の端子収容室を備えるコネクタに、電線が接続された端子を設定された端子収容室に装着する際には、電線が誤装着されることを防止する必要がある。そのため、特許文献１には、ワイヤハーネスやコネクタなどの配設位置を示した配線図板に、コネクタ嵌合溝が形成されたワイヤハーネスの配線用治具を棒状部材を介して固定し、コネクタ嵌合溝に複数の端子収容室を備えるコネクタを嵌合させて、配線図板に従い電線とコネクタを装着することが記載されている。そして、各端子収容室と対向する治具の表面に、挿入されるべき電線の色と同じ色分けした電線嵌合溝を形成して、電線嵌合溝の色に合わせ電線を接続するようにして、電線の誤接続を防止している。
【０００３】
【特許文献１】特開２００２―１１２４２３号公報
【発明の開示】
【発明が解決しようとする課題】
【０００４】
特許文献１によれば、コネクタに端子を装着するときの作業性について配慮されていない。すなわち、コネクタに端子を挿入する際、コネクタの端子収容室の位置及び向きに合わせて、電線が接続された端子の姿勢を調整しながら手で把持して端子収容室に挿入しなければならない。しかし、コネクタは配線図板に固定されているから、端子収容室の位置及び向きを調整できない。したがって、挿入すべき端子を端子収容室の位置及び向きに調整しなければならないので、コネクタ及び端子が小型の場合は、微妙な姿勢調整が要求されることから作業に手間がかかり、作業性が悪いという問題がある。
【０００５】
本発明の課題は、複数の端子収容室を備えるコネクタに電線が接続された端子を装着する作業性を向上することにある。
【課題を解決するための手段】
【０００６】
上記の課題を解決するため、本発明のコネクタ把持用治具は、複数の端子収容室を少なくとも一列備えてなるコネクタを把持して、電線が接続された端子を設定された端子収容室に装着する作業に使用されるコネクタ把持用治具であって、コネクタが収容される空洞を有し、コネクタの端子収容室の開口が表面に露出するように空洞が形成されてなる治具本体と、治具本体の表面に、複数の端子収容室の配列に合せて各端子収容室に挿入されるべき電線の色分けと同じ配列の色分け表示部が形成されてなることを特徴とする。
【０００７】
すなわち、コネクタをコネクタ把持用治具に装着して把持し、コネクタの姿勢を端子収容室に端子を挿入しやすいように調整しながら、端子とコネクタの姿勢を端子収容室の位置及び向きに調整し、電線が接続された端子を設定された端子収容室に装着する。これにより、挿入すべき端子を端子収容室の位置及び向きに調整でき、コネクタ及び端子が小型であっても、微妙な姿勢調整ができることから、作業性を向上できる。また、コネクタが小さい場合、コネクタを直接指などで強い力で把持すると、コネクタが指に食い込んで痛いから、作業性が悪くなることがあるが、コネクタ把持用治具を指などで把持しやすい大きさに成型することで作業性を向上できる。
【０００８】
この場合において、複数の端子収容室を複数列備えるコネクタを治具本体に収容し、治具本体の表面の表示部を複数列の端子収容室の配列順に合わせて複数形成することができる。また、コネクタに備えられた係止部材が端子の挿入によりコネクタが外方向に変形しても干渉しないように、空洞を大きく形成することができる。
【発明の効果】
【０００９】
本発明によれば、複数の端子収容室を備えるコネクタに電線が接続された端子を装着する作業性を向上できる。
【発明を実施するための最良の形態】
【００１０】
以下、本発明を実施の形態に基づいて説明する。図１は本発明の一実施形態のコネクタ把持用治具の斜視図であり、図２（ａ）はコネクタ把持用治具に収容されるコネクタの斜視図であり、図２（ｂ）はコネクタの端子収容室が前面となるようにコネクタを裏面側から見た斜視図であり、図３はコネクタに装着される電線が接続された端子の斜視図である。
【００１１】
本実施形態の治具本体１は、例えば、樹脂や金属で形成され、図１に示すように、例えば、略立方体に形成されている。治具本体１の上面と側面の角部には、コネクタ４を嵌合して収容できるように空洞２が形成されている。空洞２はコネクタ４が上面から挿入され、コネクタ４に形成された複数（本実施形態では、４つ）の端子収容室５の開口が治具本体１の１つの側面に配列方向を上下方向に合わせて露出させるようになっている。治具本体１の側面に上下方向に、複数（本実施形態では、４色）に色分けされた表示部３が形成されている。表示部３の色分けは、コネクタ４の各端子収容室５に挿入されるべき電線の色と同じ配列になっている。表示部３は、例えば、色の異なる複数のテープを貼り付けて色分けして形成してもよく、治具本体１の表面を複数の色に塗り分けて形成してもよい。また、治具本体１の全周に表示部３を形成しているが、端子収容室５が開口された治具本体１の表面の一部に形成してもよい。
【００１２】
空洞２に収容されるコネクタ４には、複数（本実施形態では４つ）の端子収容室５が備えられている。端子収容室５は色が塗られた電線９が接続された端子８を装着できるように形成されている。また、各端子収容室５には、挿入された端子８を係止するための舌片状のランス６が備えられている。ランス６の基部は、コネクタ４の端子収容室５の開口側に位置させて、先端を端子収容室５の奥に向けて延在させて設けられている。ランス６は、弾性を有する部材により形成され、挿入される端子８に突出させて設けられた被係止部材１０により押圧されて外方向に変形し、被係止部材１０が外れると、元に復帰して端子８の脱出を阻止するようになっている。
【００１３】
また、治具本体１は、空洞２のランス６が配置される位置のコネクタ４との間隔１５を、他の位置よりも大きく形成している。これは、端子８が挿入されるとランス６が外方向に変形することから、ランス６の変形を吸収できるようにするためである。この間隔１５について図５を用いて説明する。図５は端子８が装着される際の端子収容室５内の概略図である。図示のとおり端子８を端子収容室５に挿入すると、被係止部材１０がランス６を押してランス６が初期位置からコネクタ４の外方向に弾性変形する。この際、ランス６が配置される位置の間隔１５が小さいと、ランス６が空洞２の内面に押さえられて変形できず、端子８を端子収容室５に挿入できない。そのため、間隔１５を大きく形成し、この間隔１５により端子８の挿入によるランス６の変形を吸収するようにしている。端子８が所定の位置まで挿入されると、ランス６が初期位置に戻ることにより、ランス６の先端と被係止部材１０の先端が当接して端子８とコネクタ４を係止する。なお、ランス６の変形を吸収できるように空洞２全体を大きく形成すると、端子８を挿入する際に治具本体１がコネクタ４を強固に保持できずにコネクタ４が動いてしまい作業性が悪くなる。また、端子８を挿入するために強い力を加えると、コネクタ４が空洞２から外れて紛失することがある。
【００１４】
端子収容室５に挿入される端子８は、電線９の露出した芯線１１を圧着する第１の圧着部１２と、被覆された電線９を圧着する第２の圧着部１３を備えている。電線９は第１の圧着部１２及び第２の圧着部１３により端子８に圧着されることにより、端子８に電線９が接続されるようになっている。端子８には電線９の方向に延在させて板状の被係止部材１０の基部が固定されている。
【００１５】
次に、本実施形態のコネクタ把持用治具４を用いて、電線９が接続された端子８をコネクタ４の設定された端子収容室５に挿入する作業について、図４（ａ）〜（ｄ）を用いて説明する。
【００１６】
コネクタ４を治具本体１の上面から空洞２に装着する。このとき、端子収容室５の開口を図４（ａ）に示すように、治具本体１の正面に位置させて空洞２に挿入する。治具本体１を指により把持した状態で、電線９が接続された端子８を把持し、端子収容室５に端子８を挿入しやすいように端子収容室５の位置及び向きを治具本体１の姿勢と端子８の姿勢を調整しながら、端子８を端子収容室５に挿入する。このとき、表示部３の色の配列順と端子８に接続されている電線９の色の配列順が同一となる端子収容室５の位置に端子８を挿入する。表示部３の色の配列順が、例えば、３ａ、３ｂ、３ｃ、３ｄの順に黒色、黄色、白色、赤色であった場合、電線９の色の配列順が端子収容室５の上から順に黒色、黄色、白色、赤色となるように、端子収容室５に端子８を挿入する。全ての端子収容室５に端子８を装着したのち、治具本体１から端子８が接続されたコネクタ４を取り出し、必要ならば、新たなコネクタ４を治具本体１に収容して、同様の作業によりコネクタ４に端子８を接続する。
【００１７】
本実施形態によれば、コネクタ４を治具本体１に装着して指などで把持し、挿入すべき端子８と端子収容室５の位置及び向きを同時に調整できることから、コネクタ４及び端子８が小型であっても、微妙な姿勢調整ができ、作業性を向上できる。
【００１８】
例えば、ＣＣＤカメラなどに用いられる小さいコネクタに端子を装着する場合、直接指などで強い力でコネクタを把持すると、コネクタが指に食い込んで痛く、また、長時間のコネクタの装着作業を行うと指に肉刺ができ作業性が悪くなることがある。例えば、ＣＣＤカメラなどに用いられるコネクタ４の大きさを図２（ａ）により例示すると、Ｘが６ｍｍ、Ｙが２ｍｍ、Ｚが５ｍｍである。この点、本実施形態によれば、治具本体を指で把持しやすい大きさにすることで、作業性を向上できる。
【００１９】
また、治具本体１の表面に、端子収容室５の配列に合せて各端子収容室５に挿入されるべき電線９の色分けと同じ配列の色分け表示部３を形成し、その表示部３の配列順に合わせて端子８を装着すればよいから、電線９の誤装着を防止できる。
【００２０】
さらに、治具本体１の表面に各端子収容室５に装着されるべき電線９の配列順を表示していることから、作業中に電線９が挿入されるべき端子収容位置５の位置を示した作業標準書を見なくても、所定の端子収容室５に電線を装着でき、作業性を向上できる。
【００２１】
また、コネクタ４を直接指などで把持するとランス６を強く把持してしまう場合があり、その状態で端子８を挿入しようとしても、指などでランス６のコネクタ４の外方向への変形を押さえてしまい端子を挿入できずに、作業性が悪くなるが、治具本体１を指で把持していることから、ランス６の変形が妨げられることを防止でき、作業性を向上できる。
【００２２】
さらに、コネクタ４を直接指などで強く把持すると変形することがあるが、強固な治具本体１にコネクタ４を収容することで、コネクタ４に直接強い力が加わることを防止でき、コネクタ４の変形を防ぐことができる。
【００２３】
なお、コネクタ４が小さい場合、治具本体１を大きく形成し、表示部３の３ａ、３ｂ、３ｃ、３ｄのそれぞれの高さを、端子収容室５の幅または高さより大きくして、電線９の配列順を見やすくしてもよい。
【００２４】
また、治具本体１に収容されるコネクタ４は、複数の端子収容室５を一列備えるコネクタ４に限定されない。図６に複数の端子収容室５を複数列備えるコネクタ４が収容された治具本体１の正面図を示す。図示のようにコネクタ４には、複数の端子収容室５が３列備えられている。この場合、表示部３を複数設け、端子収容室５ｅに挿入されるべき電線９の色の配列順を３ｅに形成し、端子収容室５ｆに挿入されるべき電線９の色の配列順を３ｆに形成し、端子収容室５ｇに挿入されるべき電線９の色の配列順を３ｇに形成して、電線９の誤装着を防止する。
【００２５】
なお、治具本体１の形状は略立方体に限定されず、例えば、治具本体１を直方体に形成してもよく、また端子収容室５の開口が露出する面を平面にすれば、他の部分は曲面でもよい。
【００２６】
また、空洞２の位置は治具本体１の上面と１つの側面の角部に限定されず、治具本体１の上面や側面の中央部に形成してもよい。さらに、表示部３を、治具本体１の端子収容室５の開口が露出される面のみに形成してもよい。また、コネクタ４の治具本体１への収容方向は、本実施形態に限定されず、複数列の端子収容室５を一行にする方向にしてもよい。
【図面の簡単な説明】
【００２７】
【図１】本発明の一実施形態のコネクタ把持用治具である。
【図２】本発明の一実施形態のコネクタの斜視図である。
【図３】本発明の一実施形態の電線が接続された端子の斜視図である。
【図４】本発明の一実施形態のコネクタ把持用治具を把持して、電線が接続された端子を設定された端子収容室に装着する作業の状態図である。
【図５】本発明の一実施形態の端子収容室内の端子の概略図である
【図６】本発明の一実施形態の複数の端子収容室を複数列備えるコネクタを収容した場合の治具本体の正面図である。
【符号の説明】
【００２８】
１  治具本体
２  空洞  
３  表示部
４  コネクタ
５  端子収容室
６  ランス
８  端子
９  電線
【図１】
2010040405.tif 000003
【図２】
2010040405.tif 000004
【図３】
2010040405.tif 000005
【図４】
2010040405.tif 000006
【図５】
2010040405.tif 000007
【図６】
2010040405.tif 000008